(57)【要約】  【課題】  レンズ鏡筒の操作環を確実に操作することができる簡単な構成の防水ハウジングを提供する。  【解決手段】  カメラのズームリング３３に対応する位置に周方向の貫通孔７ｂが形成されたレンズ鏡筒収納部の円筒部７と、円筒部７の外周に回動可能に配設された操作リング４１と、貫通孔７ｂを貫通するように配設されズームリング３３に対して圧接位置と離間位置とを取り得る圧接ピン４５および当接ゴム５１と、円筒部７と操作リング４１との間を水密に保つＯリング４２，４３と、圧接ピン４５と操作リング４１との間を水密に保つＯリング４７と、圧接ピン４５をズームリング３３に当接する方向へ付勢するコイルばね４９と、圧接ピン４６を圧接位置と離間位置とに変更するための位置ピン４６および位置ピン嵌入切欠４１ｄと、を備えた防水ハウジング。【選択図】図５
2006154518.tif 000002
【特許請求の範囲】
【請求項１】
操作環を有するレンズ鏡筒を備えた機器を収納し得る防水ハウジングにおいて、
上記レンズ鏡筒を収納するための収納部であって、収納状態におけるレンズ鏡筒の操作環に対応する位置に、該操作環の操作方向に沿った貫通孔が形成されているレンズ鏡筒収納部と、
上記レンズ鏡筒収納部の外周に回動可能に配設されたリング部材と、
上記リング部材に配設されており、上記貫通孔を通して上記操作環と当接する圧接位置と、該操作環から離間した離間位置と、を取り得るようになされた圧接部材と、
上記レンズ鏡筒収納部と上記リング部材との間に配設されていて、上記貫通孔から上記防水ハウジング内に水が侵入するのを防止するための第１の防水手段と、
上記圧接部材と上記リング部材との間に配設されていて、上記貫通孔から上記防水ハウジング内に水が侵入するのを防止するための第２の防水手段と、
を具備したことを特徴とする防水ハウジング。
【請求項２】
上記リング部材と上記圧接部材との間に配設され、該圧接部材を上記操作環に当接する方向へ常時付勢する付勢部材をさらに具備したことを特徴とする請求項１に記載の防水ハウジング。
【請求項３】
上記圧接部材を上記圧接位置と上記離間位置との何れか一方に位置させるための位置決定手段をさらに具備したことを特徴とする請求項２に記載の防水ハウジング。
【請求項４】
上記リング部材と上記圧接部材との間に配設され、該圧接部材を上記操作環から離間する方向へ常時付勢する付勢部材をさらに具備したことを特徴とする請求項１に記載の防水ハウジング。
【発明の詳細な説明】
【技術分野】
【０００１】
本発明は、操作環を有するレンズ鏡筒を備えた機器を収納し得る防水ハウジングに関する。
【背景技術】
【０００２】
水中でのカメラによる撮影を可能とするために、カメラを水密に収納する防水ハウジングが、従来より商品化されている。
【０００３】
この防水ハウジングは、例えば、ヒンジにより開閉可能に支持される２つのケース部材を備え、ヒンジを開いた状態でケース部材の内部にカメラを位置決めして収納し、収納後に２つのケース部材を水密に閉じるものとなっている。この防水ハウジングは、カメラを内部に収納した状態で、該カメラに関する各種の操作を行うことができるようにするために、各種の操作部材を備えている。
【０００４】
ところで、カメラが例えば一眼レフレックスタイプなどである場合には、レンズ鏡筒に関する操作を行うことができるのが一般的であり、具体的には、レンズ鏡筒に保持されている撮影レンズの焦点位置を調節するためのフォーカスリングや、焦点距離を調節するためのズームリング、などの操作環を備えたものがある。このようなレンズ鏡筒の操作環を操作し得るように構成された防水ハウジングは、従来より提案されている。
【０００５】
例えば、特開平１０−１２３６０２号公報には、防水カメラケースの外部から、磁石の力により、レンズ鏡筒の焦点調節を行う技術が記載されている。
【特許文献１】特開平１０−１２３６０２号公報
【発明の開示】
【発明が解決しようとする課題】
【０００６】
しかしながら、上記特開平１０−１２３６０２号公報に記載されたような、磁石の力によりレンズ鏡筒の操作環を回動する構成では、早い動きに追従しきれないことがあり、動作の確実性が確保されていなかった。また、該公報に記載の構成では、防水カメラケース側の磁石の位置と、内部に収納したカメラのレンズ鏡筒に固定されている磁石の位置と、を合わせる必要があるために、操作が面倒であった。
【０００７】
本発明は上記事情に鑑みてなされたものであり、レンズ鏡筒の操作環を確実に操作することができる簡単な構成の防水ハウジングを提供することを目的としている。
【課題を解決するための手段】
【０００８】
上記の目的を達成するために、第１の発明による防水ハウジングは、操作環を有するレンズ鏡筒を備えた機器を収納し得る防水ハウジングにおいて、上記レンズ鏡筒を収納するための収納部であって収納状態におけるレンズ鏡筒の操作環に対応する位置に該操作環の操作方向に沿った貫通孔が形成されているレンズ鏡筒収納部と、上記レンズ鏡筒収納部の外周に回動可能に配設されたリング部材と、上記リング部材に配設されており上記貫通孔を通して上記操作環と当接する圧接位置と該操作環から離間した離間位置とを取り得るようになされた圧接部材と、上記レンズ鏡筒収納部と上記リング部材との間に配設されていて上記貫通孔から上記防水ハウジング内に水が侵入するのを防止するための第１の防水手段と、上記圧接部材と上記リング部材との間に配設されていて上記貫通孔から上記防水ハウジング内に水が侵入するのを防止するための第２の防水手段と、を具備したものである。
【０００９】
また、第２の発明による防水ハウジングは、上記第１の発明による防水ハウジングにおいて、上記リング部材と上記圧接部材との間に配設され該圧接部材を上記操作環に当接する方向へ常時付勢する付勢部材をさらに具備したものである。
【００１０】
さらに、第３の発明による防水ハウジングは、上記第２の発明による防水ハウジングにおいて、上記圧接部材を上記圧接位置と上記離間位置との何れか一方に位置させるための位置決定手段をさらに具備したものである。
【００１１】
第４の発明による防水ハウジングは、上記第１の発明による防水ハウジングにおいて、上記リング部材と上記圧接部材との間に配設され該圧接部材を上記操作環から離間する方向へ常時付勢する付勢部材をさらに具備したものである。
【発明の効果】
【００１２】
本発明によれば、レンズ鏡筒の操作環を確実に操作することができる簡単な構成の防水ハウジングとなる。
【発明を実施するための最良の形態】
【００１３】
以下、図面を参照して本発明の実施例を説明する。
【実施例１】
【００１４】
図１から図６は本発明の実施例１を示したものであり、図１は防水ハウジングの外観を示す斜視図、図２はカメラを収納した状態の防水ハウジングの構成を示す図１のＡ−Ａ断面図、図３はレンズ鏡筒収納部の構成の一部を光軸方向に引き延ばして示す分解斜視図、図４はレンズ鏡筒収納部の構成の他の一部を光軸方向に引き延ばして示す分解斜視図、図５は操作環回動機構の構成を示す図１のＢ−Ｂ断面図、図６は操作環回動機構の構成を示す斜視図である。
【００１５】
まず、図２を参照して、防水ハウジングに収納されるカメラ３１の構成の概要について説明する。
【００１６】
このカメラ３１は、例えばレンズ交換可能な一眼レフレックスタイプのデジタルカメラとして構成されたものであり、前方へ向けてレンズ鏡筒３２を突設している。
【００１７】
このレンズ鏡筒３２は、図示しない撮影レンズを保持するものであり、該撮影レンズの焦点距離を調節するための操作環たるズームリング３３と、該撮影レンズの焦点位置を調節するための操作環たるフォーカスリング３４と、を備えている。これらズームリング３３やフォーカスリング３４は、例えば操作用のゴムリングが外周側に取り付けられており、このゴムリングの外周面には、ユーザによる回動操作を容易に行うことができるようにするための溝が、等間隔に複数設けられている。また、カメラ３１の底面には、三脚に取り付けるための三脚用ねじ孔３５が設けられている。さらに、カメラ３１の背面には、撮影時にフレーミングを行ったり撮影後に撮影した画像を表示したりカメラに係る各種の情報を表示したりするための表示画面３６が設けられている。そして、カメラ３１の上部には、外部ストロボを着脱可能に取り付けるためのストロボシュー３７が設けられている。
【００１８】
次に、図１および図２を参照して、このようなカメラ３１を収納するための防水ハウジング１の構成について説明する。
【００１９】
防水ハウジング１は、前ケース２と、後ケース３と、をヒンジ等により開閉自在に支持し、バックル４を係止することによりこれらが密閉状態となるように構成されている。ここに前ケース２と後ケース３とは、Ｏリング５を介して水密を確保するようになっている。この防水ハウジング１は、概要として、全体的に透明なポリカーボネート等の素材により形成されていて、所定の要所要所が、水中でも視認し易い色、例えば赤色となるように構成されている。また、後述するように、遮光が必要な部分には、適宜、遮光性の部材が取り付けられている。
【００２０】
前ケース２の上面には、上記カメラ３１に設けられた図示しないレリーズボタンを外部から押圧操作可能にするためのレリーズレバー１５等の各種の操作部材と、撮影時に照明光を照射する水中ストロボを取り付けるための外部ストロボシュー１６と、が設けられている。
【００２１】
さらに、前ケース２は、前方へ向けて、カメラ３１のレンズ鏡筒３２を収納するためのレンズ鏡筒収納部６を突設している。このレンズ鏡筒収納部６は、上記前ケース２と一体に突設される略円筒形状の円筒部７と、この円筒部７に対して一体的に螺合されるフード環８と、これら円筒部７とフード環８との間の水密を保持するために介挿されるＯリング９と、を有して構成されている。上記円筒部７は先端側に内径ねじ７ａが、上記フード環８は後端側に外径ねじ８ａが、それぞれ刻設されており、上記Ｏリング９を間に挟み込みながらこれらを螺合することにより、円筒部７とフード環８とが水密かつ一体的に取り付けられるようになっている。
【００２２】
上記円筒部７の外周側には、後述するような操作リング４１が、第１の防水手段たるＯリング４２，４３を介して水密かつ回動自在に取り付けられ、さらにこの操作リング４１の抜け止めを行うための止め輪４４が該操作リング４１の先端側から円筒部７に嵌合されるようになっている。
【００２３】
上記レンズ鏡筒３２は、ワイド状態においては１群レンズ等を含む先端部が図２の実線に示すような位置にあるが、テレ状態になると該先端部が図２の２点鎖線で示すような位置まで繰り出される。従って、上記フード環８は、このようなワイド状態からテレ状態に至る全ての状態のレンズ鏡筒３２を収納し得る形状となるように構成されている。さらに、フード環８は、内面側に遮光部材１４が取り付けられており、これにより不要な外光をカットするレンズフードとしての機能も果たすように構成されている。このフード環８は、図２の実線で示すワイド状態において、図示のようにレンズフードとして特に有効に機能するように構成されている。
【００２４】
上記フード環８の先端側内周面には段部８ｃが形成されており、この段部８ｃに、前ガラス１１がＯリング１２を介して取り付けられるようになっている。フード環８の先端側外周面には、さらに、外径ねじ８ｂが刻設されており、一方、止め環１３の内周側には内径ねじ１３ａが刻設されている。そして、前ガラス１１の前方側から止め環１３の内径ねじ１３ａをフード環８の外径ねじ８ｂに螺合することにより、前ガラス１１およびＯリング１２が段部８ｃに固定されて、レンズ鏡筒収納部６の前方側における水密性が確保されるようになっている。
【００２５】
前ケース２内の底面側には、三脚ねじ１７が設けられており、カメラ３１の三脚用ねじ孔３５と螺合することにより、該カメラ３１が前ケース２に対して固定されるようになっている。
【００２６】
さらに、前ケース２内の上部前方側や後ケース内にはリブ１８やリブ１９が突設されていて、これらのリブ１８，１９の先端や、カメラ３１を該防水ハウジング１内に収納する際に該カメラ３１と当接する防水ハウジング１内の各要所には、当接ゴム２１が配設されている。これらの当接ゴム２１をカメラ３１に当接させることにより、上記三脚ねじ１７とともに、該カメラ３１を防水ハウジング１内で３次元的に位置決めするようになっている。
【００２７】
後ケース３の背面側には、カメラ３１の背面側の表示画面３６を拡大して観察するための画面ルーペ２２が一体に設けられている。そして、後ケース３の内面側には、この画面ルーペ２２を囲むように、遮光性を備えた画面内部フード２３がビス２４を介して取り付けられている。従って、外光の影響を軽減しながら、表示画面３６を大きく鮮明に観察することができるようになっている。
【００２８】
カメラ３１の上記ストロボシュー３７には、シンクロコード２５の一端が接続されるようになっている。このシンクロコード２５の他端は、防水ハウジング１に設けられた上記外部ストロボシュー１６に接続されている。これにより、外部ストロボシュー１６に水中ストロボを取り付ければ、ストロボ発光モードに設定されているときには、レリーズレバー１５の操作によるシャタレリーズに同期して、水中ストロボの発光が行われるようになっている。
【００２９】
次に、図３および図５を参照して、カメラ３１のズームリング３３を、防水ハウジング１の外側から回動させるための操作環回動機構について説明する。
【００３０】
上記円筒部７には、上記内径ねじ７ａに加えて、さらに、周方向に沿った所定長さの周孔として形成されている貫通孔７ｂと、上記止め輪４４を嵌合するための周溝でなる止め輪溝７ｃと、が形成されている。また、円筒部７の基端側には段部７ｄが形成されており、この段部７ｄは、円筒部７に操作リング４１が嵌合されたときの突き当てとして機能するようになっている。
【００３１】
上記操作リング４１は、円筒部７の外周側に回動自在に嵌合される短円筒状のリング部材であり、内周側には上記Ｏリング４２，４３を各装着するための周溝でなる２本のＯリング溝４１ａ，４１ｂが形成されている。これらのＯリング溝４１ａ，４１ｂは、該操作リング４１が円筒部７の外周に嵌合された際に、光軸方向において上記貫通孔７ｂを挟み込むような位置に設けられたものとなっている。
【００３２】
この操作リング４１は、基端側の端面を上記段部７ｄに当接した状態で、上記止め輪４４を止め輪溝７ｃに嵌合することにより、該段部７ｄと止め輪４４とに挟まれた状態で、周方向に回動自在となっている。
【００３３】
さらに、この操作リング４１の外周側には、ボス４１ｃが突設されており、このボス４１ｃの内部には軸孔４１ｅが設けられている。そして、該ボス４１ｃの端部には、位置決定手段たる位置ピン嵌入切欠４１ｄが形成されている。
【００３４】
このような操作リング４１のボス４１ｃに設けられた軸孔４１ｅには、圧接部材たる圧接ピン４５と、位置決定手段たる位置ピン４６と、第２の防水手段たるＯリング４７と、ワッシャ４８と、付勢部材たるコイルばね４９と、Ｅリング５０と、圧接部材たる当接ゴム５１と、が組み付けられるようになっている。
【００３５】
上記圧接ピン４５は、上記軸孔４１ｅに軸方向に変位可能に嵌合される軸部４５ａと、この軸部４５ａの上端側に一体に設けられた指などで回動操作可能な頭部４５ｂと、を有して構成されている。圧接ピン４５の頭部４５ｂには、上記位置ピン４６を一体的に嵌入するための位置ピン嵌入孔４５ｃが形成されている。ここに位置ピン４６は、該圧接ピン４５の軸周りの位置に応じて、上記位置ピン嵌入切欠４１ｄに嵌入し、該圧接ピン４５の軸方向位置の変位を許容するものである。また、圧接ピン４５の軸部４５ａには、上記Ｏリング４７を取り付けるための周溝でなるＯリング溝４５ｄと、上記Ｅリング５０を嵌合するためのＥリング溝４５ｅと、上記当接ゴム５１の抜け止めを行うための脱落防止溝４５ｆと、が形成されている。
【００３６】
上記圧接ピン４５は、先端側が上記操作リング４１の内周側に突出しており、該突出部分には、上記ワッシャ４８と、上記コイルばね４９と、上記Ｅリング５０と、上記当接ゴム５１と、がこの順に取り付けられている。
【００３７】
上記コイルばね４９は、上記ワッシャ４８とＥリング５０との間に挟まれて圧縮された状態となっており、上記圧接ピン４５を上記ズームリング３３へ向けて常に付勢している。
【００３８】
また、上記当接ゴム５１には、上記圧接ピン４５の先端部を圧入するための軸孔５１ａが設けられており、この軸孔５１ａ内には脱落防止用の内方フランジ５１ｂが設けられている。この内方フランジ５１ｂは、上記圧接ピン４５の脱落防止溝４５ｆと係合することにより、該当接ゴム５１が圧接ピン４５から脱落するの防止するためのものである。
【００３９】
次に、このような防水ハウジング１の操作環回動機構により、カメラ３１のズームリング３３を回転させるときの作用について説明する。
【００４０】
上記圧接ピン４５は、軸周りの回動位置に応じて、軸方向の位置が異なるように構成されている。すなわち、上記位置ピン４６がボス４１ｃの上端面４１ｆに当接する状態においては、該圧接ピン４５の先端の当接ゴム５１はズームリング３３から離間した位置（離間位置）にある（図５参照）。
【００４１】
ユーザは、ズームリング３３の操作を行いたいときには、指などで圧接ピン４５を軸周りに回転させる。そして、位置ピン４６と位置ピン嵌入切欠４１ｄとの軸周りの位置を一致させる。すると、位置ピン４６が位置ピン嵌入切欠４１ｄに係入することが可能となり、圧縮された状態のコイルばね４９の付勢力により、圧接ピン４５が軸方向に沿ってレンズ鏡筒収納部６の内部側へ変位される。そして、先端の当接ゴム５１がズームリング３３を圧接したところで停止する（圧接位置）（図２参照）。このときには、位置ピン４６が位置ピン嵌入切欠４１ｄに係入した位置となっている。
【００４２】
この状態で、ユーザが操作リング４１をレンズ鏡筒収納部６の外周に沿って回転させることにより、ズームリング３３がレンズ鏡筒３２の光軸周りに回転される。
【００４３】
なお、ここでは、コイルばね４９の付勢力により発生する当接ゴム５１とズームリング３３との静止摩擦力により、ズームリング３３が回転するように構成しているが、コイルばね４９の付勢力に加えてユーザが圧接ピン４５を押圧しながら回転させるように構成することも可能である。このときには、コイルばね４９の力量を低減することができて、汎用の力量のばねを利用することが可能となり、専用品を用いる場合に比してコストを削減することが可能となる。
【００４４】
操作リング４１、ひいてはズームリング３３が所望の位置まで回転したら、ユーザは、指で圧接ピン４５の頭部４５ｂを摘むなどして、位置ピン４６が位置ピン嵌入切欠４１ｄに係入しなくなる位置まで引き上げる。そして、引き上げた状態で該圧接ピン４５を軸周りに回転させて、ボス４１ｃの上端面４１ｆに位置ピン４６を当接させる。これにより、図５に示すような離間位置に復帰する。
【００４５】
このような実施例１によれば、当接ゴム５１をズームリング３３に当接させてズームリング３３を回転させるように構成したために、磁石の力を用いる従来例に比して、操作環の確実な操作を行うことが可能となる。
【００４６】
また、ユーザは、操作リング４１を回転させることによりズームリング３３の回転を行うことができるために、カメラ３１のズームリング３３自体を回転させるのと同様の操作形態となり、操作性が統一されて使い勝手が良い。
【００４７】
さらに、位置ピン４６を位置ピン嵌入切欠４１ｄへ係入させる操作と、位置ピン４６を位置ピン嵌入切欠４１ｄから引き上げる操作は、何れも空気中において行うことが可能である。つまり、ダイバー等が水中に入る前に位置ピン４６を位置ピン嵌入切欠４１ｄへ係入させておき、水中からあがった後に位置ピン４６を位置ピン嵌入切欠４１ｄから引き上げることが可能であるために、ダイバーは水中で面倒な操作を行うことなく、操作リング４１を回動させるだけで所望の位置へのズーム動作を行うことができるために、操作性が良く使い勝手が良い。
【００４８】
また、圧接ピン４５を離間位置に保持することができるために、レンズ鏡筒３２を有したカメラ３１は防水ハウジング１の前ケース２に対して、離脱、装填が容易になり、取り扱いに便利となる。
【実施例２】
【００４９】
図７は本発明の実施例２を示したものであり、図７は操作環回動機構の構成を示す断面図である。この実施例２において、上述の実施例１と同様である部分については同一の符号を付して説明を省略し、主として異なる点についてのみ説明する。
【００５０】
上述した実施例１においては、圧接ピン４５は、ばね４９によりズームリング３３に当接する方向へ常時付されていたが、この実施例２においては、圧接部材たる圧接ピン５５は、ばね４９によりズームリング３３から離間する方向へ常時付勢されたものとなっている。
【００５１】
すなわち、圧接ピン５５は、上記軸孔４１ｅに軸方向に変位可能に嵌合される軸部５５ａと、この軸部５５ａの上端側に一体に設けられた指などで押圧操作可能な頭部５５ｂと、を有して構成されている。圧接ピン５５の頭部５５ｂの上端面５５ｃは、指などで押圧操作し易いように、凹面として形成されている。また、圧接ピン５５の軸部５５ａには、Ｏリング４７を取り付けるための周溝でなるＯリング溝５５ｄと、Ｅリング５０を嵌合するためのＥリング溝５５ｅと、圧接部材たる当接ゴム５６の抜け止めを行うための脱落防止溝５５ｆと、が形成されている。
【００５２】
上記当接ゴム５６は、上記圧接ピン５５の先端部を圧入するための軸孔５６ａが設けられており、この軸孔５６ａ内には脱落防止用の内方フランジ５６ｂが設けられている。この内方フランジ５６ｂは、上記圧接ピン５５の脱落防止溝５５ｆと係合することにより、該当接ゴム５６が圧接ピン５５から脱落するのを防止するためのものである。
【００５３】
また、本実施例のボス４１ｃには、位置ピン嵌入切欠４１ｄは設けられておらず、これに代えて、ばね挿入段部４１ｆが上端開口部側に設けられている。そして、上記コイルばね４９が、圧接ピン５５の軸部５５ａに挿通された状態で、ばね挿入段部４１ｆ内に配設されている。このコイルばね４９は、下端側を該ばね挿入段部４１ｆにより係止され、上端側を圧接ピン５５の頭部５５ｂの下端面により係止されて、圧縮された状態となっている。
【００５４】
次に、このような防水ハウジング１の操作環回動機構により、カメラ３１のズームリング３３を回転させるときの作用について説明する。
【００５５】
上記圧接ピン５５は、外力を加えていない状態では、コイルばね４９により、ズームリング３３から離間する方向へ常時付勢されている。従って、この状態においては、圧接ピン５５の先端の当接ゴム５６は、ズームリング３３から離間した位置（離間位置）にある。
【００５６】
このとき、ユーザが、コイルばね４９の付勢力に抗して指などで圧接ピン５５を押圧すると、圧接ピン５５は軸方向に沿ってレンズ鏡筒収納部６の内部側へ変位される。そして、先端の当接ゴム５６がズームリング３３を圧接したところで、変位が停止する（圧接位置）。
【００５７】
この状態で、ユーザが、該圧接ピン５５を押圧したまま、操作リング４１をレンズ鏡筒収納部６の外周に沿って回転させることにより、ズームリング３３がレンズ鏡筒３２の光軸周りに回転される。
【００５８】
なお、上述した構成では、ズームリング３３を回転させるときには、必ず圧接ピン５５を押圧する操作が必要であった。しかし、これに限らず、当接ゴム５６がズームリング３３に当接した状態を保持するような係止機構を設けるようにしても構わない。この場合には、水中に入る前に係止機構により当接ゴム５６をズームリング３３に当接させておけば、水中においては、操作リング４１自体を回転させることで、ズーム操作を行うことが可能となる。また、係止機構による係止の解除は、水中から上がった後に行うことも可能であるために、水中における操作を簡単にすることもできる。
【００５９】
また、水中においては、当然にして、圧接ピン５５にも水圧がかかるために、上記コイルばね４９は、水中において、該圧接ピン５５にかかる水圧にも抗し得る付勢力を備えたものを用いることが考えられる。
【００６０】
あるいは、これとは逆に、所定以上の水深において、コイルばね４９の付勢力よりも圧接ピン５５にかかる水圧による力量の方が大きくなるように構成すれば、所定以上の水深において、圧接ピン５５に取り付けられた当接ゴム５６が自動的にズームリング３３に当接するように構成することも可能である。このときには、上記所定の水深よりも深い第２の水深以下において、ユーザが圧接ピン５５の上端面５５ｃを押圧する必要なく、操作リング４１のみを操作することにより、ズーム動作を行うことができるように構成することも可能である。すなわち、水圧による力量は、軸孔４１ｅの軸に垂直な断面積に比例するために、該必要な力量が得られるように軸孔４１ｅや圧接ピン５５を設計すればよい。このような構成を採用すると、空気中では圧接ピン５５がコイルばね４９の付勢力により自動的にズームリング３３から離間し、所定以上の水深となる水中では、圧接ピン５５が水圧により自動的にズームリング３３に当接するように構成することが可能となる。
【００６１】
このような実施例２によれば、圧接ピン５５をズームリング３３から常に離間するように付勢することによっても、上述した実施例１とほぼ同様の効果を奏することができる。また、実施例１に比して、部品点数を減らして、コストを削減することが可能となる。
【００６２】
また、この実施例２においても、レンズ鏡筒３２を有したカメラの前ケース２に対する離脱、装填も容易となる。
【００６３】
なお、上述した各実施例においては、操作環としてのズームリング３３を回動させる例について説明したが、これに限らず、同様の機構により、フォーカスリング３４を回動させるようにしても構わない。
【００６４】
また、カメラとして上述ではデジタルカメラを例に挙げたが、これに限らず、操作環が設けられたレンズ鏡筒を備える機器に広く適用することができ、例えばビデオカメラ等にももちろん適用することが可能である。
【００６５】
なお、本発明は上述した実施例に限定されるものではなく、発明の主旨を逸脱しない範囲内において種々の変形や応用が可能であることは勿論である。
【産業上の利用可能性】
【００６６】
本発明は、操作環を有するレンズ鏡筒を備えた機器を収納し得る防水ハウジングに好適に利用することができる。
【図面の簡単な説明】
【００６７】
【図１】本発明の実施例１における防水ハウジングの外観を示す斜視図。
【図２】上記実施例１において、カメラを収納した状態の防水ハウジングの構成を示す図１のＡ−Ａ断面図。
【図３】上記実施例１において、レンズ鏡筒収納部の構成の一部を光軸方向に引き延ばして示す分解斜視図。
【図４】上記実施例１において、レンズ鏡筒収納部の構成の他の一部を光軸方向に引き延ばして示す分解斜視図。
【図５】上記実施例１における操作環回動機構の構成を示す図１のＢ−Ｂ断面図。
【図６】上記実施例１における操作環回動機構の構成を示す斜視図。
【図７】本発明の実施例２における操作環回動機構の構成を示す断面図。
【符号の説明】
【００６８】
１…防水ハウジング
２…前ケース
３…後ケース
６…レンズ鏡筒収納部
７…円筒部
７ｂ…貫通孔
７ｃ…止め輪溝
７ｄ…段部
３１…カメラ
３２…レンズ鏡筒
３３…ズームリング（操作環）
３４…フォーカスリング（操作環）
４１…操作リング（リング部材）
４１ａ，４１ｂ…Ｏリング溝
４１ｃ…ボス
４１ｄ…位置ピン嵌入切欠（位置決定手段）
４２，４３…Ｏリング（第１の防水手段）
４４…止め輪
４５，５５…圧接ピン（圧接部材）
４６…位置ピン（位置決定手段）
４７…Ｏリング（第２の防水手段）
４８…ワッシャ
４９…コイルばね（付勢部材）
５０…Ｅリング
５１，５６…当接ゴム（圧接部材）
代理人    弁理士      伊    藤      進
【図１】
2006154518.tif 000003
【図２】
2006154518.tif 000004
【図３】
2006154518.tif 000005
【図４】
2006154518.tif 000006
【図５】
2006154518.tif 000007
【図６】
2006154518.tif 000008
【図７】
2006154518.tif 000009